(57)【要約】【課題】保管時や搬送時において、省スペース化が可能な土のう製作具を提供すること。【解決手段】土のう製作具１は、平面視で外形が四角形状に形成された外縁１１から、略中央に形成され外縁１１より下方に形成された開口部１２に連なる案内部１３を有し、案内部１３の外面に設けられ、土のう袋１００の上部を引っ掛けることが可能な袋保持部１４を有する本体１０と、本体１０の外縁１１の四辺に夫々設けられており、水平方向に延びる中空形状で形成されている支持部２０と、一端側から支持部２０にスライド自在に挿入される水平部３１と、水平部３１の他端に接続され、垂直方向に延び、接地する垂直部３２と、を有する脚部３０と、を備え、脚部３０は、水平部３１全体が水平部３１の内部に挿入された状態において、上面視で、互いに隣接する支持部２０の端部の間に、垂直部３２が配置されている。【選択図】図１
2017197922.tif 000002
【特許請求の範囲】
【請求項１】
土のう袋に土砂を入れるための土のう製作具であって、
平面視で外形が四角形状に形成された外縁から、略中央に形成され前記外縁より下方に形成された開口部に連なる案内部を有し、前記案内部の外面に設けられ、前記土のう袋の上部を引っ掛けることが可能な袋保持部を有する本体と、
前記本体の前記外縁の四辺に夫々設けられており、水平方向に延びる中空形状で形成されている支持部と、
一端側から前記支持部にスライド自在に挿入される水平部と、前記水平部の他端に接続され、垂直方向に延び、接地する垂直部と、を有する脚部と、を備え、
前記脚部は、
前記水平部全体が前記支持部の内部に挿入された状態において、上面視で、互いに隣接する前記支持部の端部の間に、前記垂直部が配置されている土のう製作具。
【請求項２】
前記脚部は、前記水平部の下面と前記垂直部の側面に固定された補強部を有し、
前記支持部には、前記水平部が前記支持部の内部に挿入された状態において、前記補強部が前記支持部の外部に突出可能な溝が形成されている請求項１に記載の土のう製作具。
【請求項３】
前記垂直部は、
前記水平部に接続されており、中空形状で形成された第１部材と、
前記第１部材の下端側から、前記第１部材に着脱自在に挿入されている第２部材と、
前記第２部材に着脱自在に取り付けられており、車輪を有する車輪部と、を備える請求項１又は２に記載の土のう製作具。
【発明の詳細な説明】
【技術分野】
【０００１】
本発明は、土のう製作具に関し、特に、土のう袋に土砂を入れるための土のう製作具に関する。
【背景技術】
【０００２】
従来、土木工事等では、土砂や水等をせき止めるために土のうが用いられる。このような土のうは、土のう袋に土砂を詰めることで製作する。この土のうの製作では、土のう袋の口から、重機等により土砂を入れていくが、土のう袋が自立しないため、例えば、作業員が土のう袋の口周辺を持ち、土のう袋を立たせた状態で、口を開いておく必要があり、多大な人工がかかっていた。
【０００３】
そこで、上開口と下開口を有するホッパーに、車輪付き支持部を配設したホッパー車と、ホッパー車を乗せ、ホッパーの下開口から土砂を落下させて大型土のう袋に詰める袋詰め箇所を隣接して設けた袋詰め用枠体の上に、ホッパー車がいずれの袋詰め箇所上へも移動できるようにレールを敷設した土のう袋詰め台と、から構成されている大型土のう袋詰め機が提案されている（特許文献１参照）。
特許文献１の大型土のう袋詰め機によれば、土のうの製作において、土のう袋詰め台により、大型土のう袋を保持しておけるので、作業員が土のう袋を持っている必要がなくなり、土のうの製作にかかる人工を削減できる。
【先行技術文献】
【特許文献】
【０００４】
【特許文献１】特開２００８−１８４７５６号公報
【発明の概要】
【発明が解決しようとする課題】
【０００５】
ところで、土のう製作具は、例えば、倉庫等に保管され、車両により、土のうが必要な現場に搬入される。
このような場合、特許文献１の大型土のう袋詰め機は、ホッパー車と、土のう袋詰め台と、から構成されているため、保管時や搬送時において、多大なスペースが必要であった。
【０００６】
本発明は、保管時や搬送時において、省スペース化が可能な土のう製作具を提供することを目的とする。
【課題を解決するための手段】
【０００７】
（１）  土のう袋に土砂を入れるための土のう製作具であって、
平面視で外形が四角形状に形成された外縁から、略中央に形成され前記外縁より下方に形成された開口部に連なる案内部を有し、前記案内部の外面に設けられ、前記土のう袋の上部を引っ掛けることが可能な袋保持部を有する本体と、
前記本体の前記外縁の四辺に夫々設けられており、水平方向に延びる中空形状で形成されている支持部と、
一端側から前記支持部にスライド自在に挿入される水平部と、前記水平部の他端に接続され、垂直方向に延び、接地する垂直部と、を有する脚部と、を備え、
前記脚部は、
前記水平部全体が前記支持部の内部に挿入された状態において、上面視で、互いに隣接する前記支持部の端部の間に、前記垂直部が配置されている土のう製作具。
【０００８】
（１）の発明によれば、土のう製作具は、本体と、支持部と、脚部と、を備える。
本体は、平面視で外形が四角形状に形成された外縁から、略中央に形成され外縁より下方に形成された開口部に連なる案内部を有し、案内部の外面に設けられ、土のう袋の上部を引っ掛けることが可能な袋保持部を有する。
支持部は、本体の外縁の四辺に夫々設けられており、水平方向に延びる中空形状で形成されている。
脚部は、水平部と、垂直部と、を有する。
水平部は、一端側から支持部にスライド自在に挿入される。
垂直部は、水平部の他端に接続され、垂直方向に延び、接地する。
そして、脚部は、水平部全体が支持部の内部に挿入された状態において、上面視で、互いに隣接する支持部の端部の間に、垂直部が配置されている。
【０００９】
これにより、土のう製作時には、４つの脚部を支持部の外側にスライドさせ、４本の垂直部を本体から離れた位置で接地させることで、本体が安定する。そして、土のう袋の上部を袋保持部に引っ掛けることで、本体の開口部が土のう袋の内部に配置された状態で、土のう袋が立設する。この状態において、例えば、重機等により、本体の上部から土砂を落下させることで、土砂が本体の案内部に導かれ開口部から土のう袋の内部に入り、土のうが製作される。
【００１０】
そして、土のう製作具は、保管時や搬送時には、４つの脚部を支持部の内側にスライドさせ、水平部全体が支持部の内部に挿入された状態にし、上面視で、互いに隣接する支持部の端部の間に、４本の垂直部を配置する。
これにより、土のう製作具は、脚部が本体近傍に配置され、上面視で、略四角形状になる。よって、土のう製作時には脚部を引き出し、安定性を向上できるとともに、保管時や搬送時には脚部を収容することで、コンパクトにできるとともに、上面視で、略四角形状できるので、上面視で円形状にした場合に比べ、無駄なスペースができないので、省スペース化が可能となる。
したがって、保管時や搬送時において、省スペース化が可能な土のう製作具を提供できる。
【００１１】
（２）  前記脚部は、前記水平部の下面と前記垂直部の側面に固定された補強部を有し、
前記支持部には、前記水平部が前記支持部の内部に挿入された状態において、前記補強部が前記支持部の外部に突出可能な溝が形成されている（１）に記載の土のう製作具。
【００１２】
（２）の発明によれば、脚部は、水平部の下面と垂直部の側面に固定された補強部を有する。
そして、支持部には、水平部が支持部の内部に挿入された状態において、補強部が支持部の外部に突出可能な溝が形成されている。
【００１３】
これにより、脚部は、補強部を有することで、強度が向上できる。そして、脚部に補強部を設けても、支持部に補強部が支持部の外部に突出可能な溝を形成したので、保管時や搬送時において、水平部全体を支持部の内部に挿入された状態にできるので、上面視で、互いに隣接する支持部の端部の間に、４本の垂直部を配置可能となり、省スペース化を損なうことがない。
【００１４】
（３）  前記垂直部は、
前記水平部に接続されており、中空形状で形成された第１部材と、
前記第１部材の下端側から、前記第１部材に着脱自在に挿入されている第２部材と、
前記第２部材に着脱自在に取り付けられており、車輪を有する車輪部と、を備える（１）又は（２）に記載の土のう製作具。
【００１５】
（３）の発明によれば、垂直部は、第１部材と、第２部材と、車輪部と、を備える。第１部材は、水平部に接続されており、中空形状で形成されている。第２部材は、第１部材の下端側から、第１部材に着脱自在に挿入されている。車輪部は、第２部材に着脱自在に取り付けられており、車輪を有する。
【００１６】
ここで、土のうの製作においては、土のう袋を並べて配置し、１つの土のうの製作が完了したら、隣の土のう袋まで土のう製作具を移動して、次の土のうを製作する。
このとき、本発明によれば車輪部を取り付けた第２部材を第１部材に挿入しておくことで、土のう製作具を複数の作業員や重機で持ち上げることなく、１人の作業員が土のう製作具を押して車輪を転がすことで、隣の土のう袋まで移動できるので、作業効率を向上できる。
【００１７】
そして、保管時や搬送時には、第１部材から第２部材を取り外したり、第１部材に第２部材を取り付けた状態で車輪部だけを取り外したり、できるので、保管場所や車両の荷台の状況に応じて、土のう製作具をよりコンパクトにできる。
また、第１部材から第２部材を取り外すことで、高さ方向の寸法を抑えることができるので、例えば、複数の土のう製作具を重ねて置くことも可能となり、保管時や搬送時において、より省スペース化が可能となる。
【発明の効果】
【００１８】
本発明によれば、保管時や搬送時において、省スペース化が可能な土のう製作具を提供できる。
【図面の簡単な説明】
【００１９】
【図１】本発明の実施形態に係る土のう製作具の斜視図である。
【図２】本発明の実施形態に係る土のう製作具の斜視図である。
【図３】本発明の実施形態に係る土のう製作具の垂直断面図である。
【図４】本発明の実施形態に係る五徳の斜視図である。
【発明を実施するための形態】
【００２０】
以下、添付図面を参照して、本発明を実施するための形態（以下、実施形態）について詳細に説明する。なお、実施形態の説明において、同一の構成には同一の符号を付し、その説明を省略又は簡略化する。
【００２１】
図１は、本発明の実施形態に係る土のう製作具の脚部を伸ばした状態を説明する図である。
土のう製作具１は、土のう袋１００に土砂２００を入れるための器具であり、本体１０と、支持部２０と、脚部３０と、を備える。
【００２２】
図１に示すように、本体１０は、平面視で外形が四角形状に形成された外縁１１と、略中央に形成され外縁１１より下方に形成された開口部１２と、外縁１１から開口部１２に連なる案内部１３と、案内部１３の外面に設けられ、土のう袋１００の上部を引っ掛けることが可能な袋保持部１４と、土のう製作具１を吊り上げる場合に玉掛ワイヤー等が係止される係止部１５と、を有する。
【００２３】
開口部１２は、本実施形態において、上面視で、四角形状に形成されているが、その他の多角形や円形に形成してもよい。
【００２４】
案内部１３は、外縁１１から、内側に形成されている開口部１２に向かって下り傾斜する壁体である。
案内部１３は、外縁１１から内側に下り傾斜する第１傾斜部１３ａと、第１傾斜部１３ａの下端に連なり、第１傾斜部１３ａより急斜面である第２傾斜部１３ｂと、を有する。
なお、案内部１３は、本実施形態において、開口部１２に向かって下り傾斜しているが、上方から落下された土砂を開口部１２に導ければ、垂直方向に延びる壁体であってもよい。
【００２５】
袋保持部１４は、案内部１３の外面に設けられており、例えば、案内部１３から離れた位置で上方に突出する略Ｌ字形状の金物で形成されている。
袋保持部１４は、一対で設けられており、互いに対向する位置に配置されている。袋保持部１４は、本体１０の四角形状の外縁１１の各辺の下方に夫々配置されている。即ち、一対の袋保持部１４は、互いに直交する位置に２箇所設けられている。
【００２６】
係止部１５は、案内部１３の内面に設けられており、例えば、案内部１３の表面から離れた位置に環形状が形成されている。
係止部１５は、一対で設けられており、互いに対向する位置に配置されている。
【００２７】
支持部２０は、本体１０の四辺に夫々設けられており、水平方向に延びる中空形状で形成されている。
詳細には、支持部２０は、四角形状の外縁１１の各辺に沿って設けられており、中空の四角柱形状で形成されている。
【００２８】
図２は、本発明の実施形態に係る支持部２０の端部周辺を斜め下方から視た図である。
支持部２０は、下面端部近傍において、支持部２０が延びる方向に延びる溝２１と、脚部３０を固定する固定部２２と、を備える。
【００２９】
脚部３０は、水平部３１と、垂直部３２と、補強部３３と、を有する。
水平部３１は、四角柱形状に形成されており、一端側から支持部２０の内部にスライド自在に挿入される。
【００３０】
垂直部３２は、水平部３１の他端に接続され、垂直方向に延び、接地し、第１部材３２１と、第２部材３２２と、車輪部３２３（図１参照）と、を備える。
【００３１】
第１部材３２１は、水平部３１の他端に接続されており、中空の四角柱形状で形成されている。
【００３２】
第２部材３２２は、第１部材３２１の下端側から、第１部材３２１に着脱自在に挿入され、円筒形状に形成されている。
第２部材３２２は、例えば、建設現場で一般的に用いられる単管パイプで構成される。ここで、中空の四角柱形状で形成された第１部材３２１の内部に、この単管パイプである第２部材３２２を挿入すると、第２部材３２２ががたつく場合がある。この場合、第１部材３２１の内部に、例えば、第１部材３２１の内部の隅に、第１部材３２１の隅に沿って延びる円柱形状のガイド部材を設けることで、第２部材３２２ががたつきを抑えることができる。なお、ガイド部材は、例えば、互いに隣接する第１部材３２１の隅に夫々設けることが望ましい。
【００３３】
図１に示すように、車輪部３２３は、第２部材３２２の下端に着脱自在に取り付けられており、車輪を有する。
【００３４】
図２に戻って、補強部３３は、水平部３１の下面と垂直部３２の側面に固定されている三角形状の板状体である。
【００３５】
脚部３０は、水平部３１全体が支持部２０の内部に挿入された状態において、上面視で、互いに隣接する支持部２０の端部の間２０ａに、垂直部３２が配置される。
このとき、補強部３３は、支持部２０の溝２１から、支持部２０の外部に突出する。
【００３６】
次に、土のう製作具１の使用方法について説明する。
現場において、土のう製作具１により、土のうを製作する場合、土のう袋１００を並べて配置し、１つ目の土のう袋１００の上に、図１に示す状態の土のう製作具１を配置し、土のう袋１００の上部（例えば、土のう袋１００の上部に設けられた環状体）を、本体１０の袋保持部１４に引っ掛け、土のう袋１００の内部に本体１０の開口部１２を配置した状態で立たせる。
【００３７】
そして、例えば、重機等により、本体１０の上方から本体１０の外縁１１の内側に土砂を落下させる。すると、土砂は、案内部１３に案内され、土のう袋１００の内部に落下し、蓄積され、土のうが完成する。
【００３８】
１つの土のうが完成したら、作業員が土のう製作具１を押して車輪を転がすことで、隣の土のう袋まで移動させ、上記と同様の作業を行い、順次、土のうを完成させる。
【００３９】
次に、土のう製作具１をコンパクトにする操作について説明する。
図３及び４は、本発明の実施形態に係る土のう製作具の脚部を収容した状態を説明する図である。
土のう製作具１を、例えば、保管時や搬送時には、図１に示す状態から、４つの脚部３０の水平部３１を支持部２０の内側にスライドさせ、水平部３１全体が支持部２０の内部に挿入された状態にし、上面視で、互いに隣接する支持部２０の端部の間２０ａに、４本の垂直部３２を配置し、図３に示す状態にする。
【００４０】
また、図３に示す状態から、必要に応じて、脚部３０の垂直部３２において、第１部材３２１から第２部材３２２を取り外すことで、図４に示すように、土のう製作具１を重ねることも可能となる。
【００４１】
本実施形態に係る土のう製作具１によれば、以下の作用効果を得られる。
土のう製作具１によれば、土のう製作時には、４つの脚部３０を支持部２０の外側にスライドさせ、４本の垂直部３２を本体１０から離れた位置で接地させることで、本体１０が安定する。そして、土のう袋１００の上部を袋保持部１４に引っ掛けることで、本体１０の開口部１２が土のう袋１００の内部に配置された状態で、土のう袋１００が立設する。この状態において、例えば、重機等により、本体１０の上部から土砂２００を落下させることで、土砂２００が本体１０の案内部１３に導かれ開口部１２から土のう袋１００の内部に入り、土のうが製作される。
【００４２】
そして、土のう製作具１は、保管時や搬送時には、４つの脚部３０を支持部２０の内側にスライドさせ、水平部３１全体が支持部２０の内部に挿入された状態にし、上面視で、互いに隣接する支持部２０の端部の間２０ａに、４本の垂直部３２を配置する。
これにより、土のう製作具１は、脚部３０が本体１０近傍に配置され、上面視で、略四角形状になる。よって、土のう製作時には脚部３０を引き出し、安定性を向上できるとともに、保管時や搬送時には脚部３０を収容することで、コンパクトにできるとともに、上面視で、略四角形状できるので、上面視で円形状にした場合に比べ、無駄なスペースができないので、省スペース化が可能となる。
したがって、保管時や搬送時において、省スペース化が可能な土のう製作具１を提供できる。
【００４３】
また、土のう製作具１によれば、脚部３０は、補強部３３を有することで、強度が向上できる。そして、脚部３０に補強部３３を設けても、支持部２０に補強部３３が支持部２０の外部に突出可能な溝２１を形成したので、保管時や搬送時において、水平部３１全体を支持部２０の内部に挿入された状態にできるので、上面視で、互いに隣接する支持部２０の端部の間に、４本の垂直部３２を配置可能となり、省スペース化を損なうことがない。
【００４４】
また、土のう製作具１によれば、保管時や搬送時には、第１部材３２１から第２部材３２２を取り外したり、第１部材３２１に第２部材３２２を取り付けた状態で車輪部３２３だけを取り外したり、できるので、保管場所や車両の荷台の状況に応じて、土のう製作具１をよりコンパクトにできる。
また、第１部材３２１から第２部材３２２を取り外すことで、高さ方向の寸法を抑えることができるので、例えば、複数の土のう製作具１を重ねて置くことも可能となり、保管時や搬送時において、より省スペース化が可能となる。
【００４５】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４６】
１      土のう製作具
１０    本体
１１    外縁
１２    開口部
１３    案内部
１４    袋保持部
２０    支持部
３０    脚部
３１    水平部
３２    垂直部
１００  土のう袋
【図１】
2017197922.tif 000003
【図２】
2017197922.tif 000004
【図３】
2017197922.tif 000005
【図４】
2017197922.tif 000006